(57)【特許請求の範囲】
【請求項１】
複数箇所のエレベータ設置場所にそれぞれ設けた複数台の監視端末器と、複数台の遠隔監視装置とを公衆回線経由で接続して監視端末器で記録するエレベータの動作情報を遠隔監視装置へ伝達してエレベータの監視をするようにしたエレベータの遠隔監視システムにおいて、複数台の遠隔監視装置の動作状態を監視し動作状態に応じて監視端末器や遠隔監視装置に指示を出すための管理装置を備え、各監視端末器にはそれぞれ端末ＩＤが付与されるとともに各遠隔監視装置にはそれぞれ接続ＩＤが付与され、各監視端末器には各遠隔監視装置の接続ＩＤとその接続順序が記憶された端末側のＩＤ記憶装置を備え、各遠隔監視装置には監視端末器の端末ＩＤが記憶された監視側のＩＤ記憶装置を備え、管理装置は、各遠隔監視装置の状態を監視するための状態監視装置を備えて該状態監視装置によりある遠隔監視装置が故障したことを検出すると、該当する遠隔監視装置が担当する監視端末器に故障を検出した遠隔監視装置でない別の遠隔監視装置の接続ＩＤが優先するように遠隔端末器に指示して該当する監視端末器はこの指示により端末側のＩＤ記憶装置に登録された優先順位に基づいて優先順位が次位である遠隔監視装置に切り換えるように指示し、更に管理装置は、新たに優先となった遠隔監視装置の監視側のＩＤ記憶装置に新たに担当する遠隔監視端末器の端末ＩＤを指示するように構成してあることを特徴とするエレベータの遠隔監視システム。
【請求項２】
任意の遠隔監視端末器から端末側ＩＤ記憶装置に登録された接続ＩＤの接続順序に基づいて最優先の接続ＩＤに対応する遠隔監視装置に接続しようとして接続出来なかった際に、該当する監視端末器の端末側ＩＤ記憶装置に登録された次位の接続順序の接続ＩＤを持つ遠隔監視装置に接続する手段を監視端末器に備えて成ることを特徴とする請求項１記載のエレベータの遠隔監視システム。
【請求項３】
故障した遠隔監視装置が復旧したことが管理装置で確認された際に、管理装置が、故障が復旧した遠隔監視装置が本来監視すべき監視端末器に対して復旧した遠隔監視装置に接続の優先戻すように指示すると共に、故障した際に該監視端末器を臨時に担当することとなった別の遠隔監視装置に臨時の担当を解除するように指示することを特徴とする請求項１記載のエレベータの遠隔監視システム。
【発明の詳細な説明】
【０００１】
【発明の属する技術分野】
本発明は、エレベータの遠隔監視システムに関するものである。
【０００２】
【従来の技術】
従来からエレベータを遠隔監視することが行われている。すなわち、エレベータ設置場所に設けた複数台の監視端末器を遠隔監視装置に公衆電話回線経由で接続して監視端末で記録するエレベータの動作状態を監視するようにしている。
【０００３】
ところが、従来例にあっては、エレベータの増加に伴う監視端末器の増加や遠隔監視装置の回線及びシステムダウンにより、エレベータの異常発報等をする際に回線接続不可能、あるいは電話再接続による対応が困難となっていた。
【０００４】
【発明が解決しようとする課題】
本発明は上記の点に鑑みてなされたものであり、監視端末器から遠隔監視装置へ異常発報あるいはその他のエレベータの動作情報等を伝達する際に、ある監視装置が動作不良に陥った場合にも直ちに他の正常に動作している遠隔監視装置へ優先接続することが可能となるエレベータの遠隔監視システムを提供することを課題とするものである。
【０００５】
【課題を解決するための手段】
上記課題を解決するために本発明に係るエレベータの遠隔監視システムは、複数箇所のエレベータ設置場所７にそれぞれ設けた複数台の監視端末器２と、複数台の遠隔監視装置１とを公衆回線経由で接続して監視端末器２で記録するエレベータの動作情報を遠隔監視装置１へ伝達してエレベータの監視をするようにしたエレベータの遠隔監視システムにおいて、複数台の遠隔監視装置１の動作状態を監視し動作状態に応じて監視端末器２や遠隔監視装置１に指示を出すための管理装置３を備え、各監視端末器２にはそれぞれ端末ＩＤが付与されるとともに各遠隔監視装置１にはそれぞれ接続ＩＤが付与され、各監視端末器２には各遠隔監視装置１の接続ＩＤとその接続順序が記憶された端末側のＩＤ記憶装置４を備え、各遠隔監視装置１には監視端末器２の端末ＩＤが記憶された監視側のＩＤ記憶装置５を備え、管理装置３は、各遠隔監視装置１の状態を監視するための状態監視装置３ａを備えて該状態監視装置３ａによりある遠隔監視装置１が故障したことを検出すると、該当する遠隔監視装置１が担当する監視端末器２に故障を検出した遠隔監視装置１でない別の遠隔監視装置１の接続ＩＤが優先するように遠隔端末器２に指示して該当する監視端末器２はこの指示により端末側のＩＤ記憶装置４に登録された優先順位に基づいて優先順位が次位である遠隔監視装置１に切り換えるように指示し、更に管理装置３は、新たに優先となった遠隔監視装置１の監視側のＩＤ記憶装置５に新たに担当する遠隔監視端末器１の端末ＩＤを指示するように構成してあることを特徴とするものである。このような構成とすることで、監視端末器２から遠隔監視装置１へ異常発報等をする際に、ある遠隔監視装置１が動作不良に陥っていてもこれを管理装置３により検知して、管理装置３から直ちに監視端末器２に他の正常に動作している遠隔監視装置１の接続ＩＤが優先するように指令すると共に、接続される正常に動作している遠隔監視装置１の監視側のＩＤ記憶装置４に新たに担当する監視端末器２の端末ＩＤを指示し、これにより監視端末器２から遠隔監視装置１にエレベータの動作情報等の情報を確実に伝達することができるものである。
【０００６】
また、任意の遠隔監視端末器２から端末側ＩＤ記憶装置４に登録された接続ＩＤの接続順序に基づいて最優先の接続ＩＤに対応する遠隔監視装置１に接続しようとして接続出来なかった際に、該当する監視端末器２の端末側ＩＤ記憶装置４に登録された次位の接続順序の接続ＩＤをもつ遠隔監視装置２に接続する手段を監視端末器２に備えることが好ましい。このような構成とすることで、ある遠隔監視端末器２から最優先の接続ＩＤに対応する遠隔監視装置１に接続しようとした際に、該当する遠隔監視装置１が正常に動作していても回線が塞がっている等の理由により接続出来ない場合には、監視端末器２側において自動的に端末側ＩＤ記憶装置４に登録された次位の接続ＩＤを持つ別の遠隔監視装置１に接続することで、監視端末器２から遠隔監視装置１に動作情報等の情報を確実に伝達することができるものである。
【０００７】
また、故障した遠隔監視装置１が復旧したことが管理装置３で確認された際に、管理装置３が、故障が復旧した遠隔監視装置１が本来監視すべき監視端末器２に対して復旧した遠隔監視装置１に接続の優先戻すように指示すると共に、故障した際に該監視端末器２を臨時に担当することとなった別の遠隔監視装置１に臨時の担当を解除するように指示することが好ましい。このような構成とすることで、故障が復旧した場合に、スムーズに元の状態に戻すことができるものである。
【０００８】
【発明の実施の形態】
以下、本発明を添付図面に示す実施形態に基づいて説明する。
【０００９】
複数箇所のエレベータ設置場所７にそれぞれ監視端末器２（監視端末器２ａ、２ｂ、２ｃ……）が設けてある。この複数のエレベータの設置場所７毎に設けた複数台の監視端末器２ａ、２ｂ、２ｃ……は、複数台の遠隔監視装置１（遠隔監視装置１Ａ、１Ｂ、１Ｃ……）に公衆回線により接続してあり、監視端末器２で記録するエレベータの動作情報を遠隔監視装置１へ伝達してエレベータの監視をするようになっている。
【００１０】
管理装置３は複数台の遠隔監視装置１Ａ、１Ｂ、１Ｃ……の動作状態を監視して動作状態に応じて監視端末器２ａ、２ｂ、２ｃ……や遠隔監視装置１Ａ、１Ｂ、１Ｃ……に指示を出すようになっている。
【００１１】
複数箇所のエレベータ設置場所７にそれぞれ設けた各監視端末器２ａ、２ｂ、２ｃ……には各監視端末器２ａ、２ｂ、２ｃ……毎に異なる端末ＩＤが付与してある。また、複数台の遠隔監視装置１にはそれぞれ各遠隔監視装置１Ａ、１Ｂ、１Ｃ……毎に異なる接続ＩＤが付与してある。
【００１２】
そして、各監視端末器２ａ、２ｂ、２ｃ……には各遠隔監視装置１Ａ、１Ｂ、１Ｃ……の接続ＩＤとその接続順序が記憶された端末側のＩＤ記憶装置４が設けてある。この端末側のＩＤ記憶装置４は、接続順序と接続ＩＤとを対応づけたテーブルとなっていて回線接続の優先順位に１Ａ、１Ｂ、１Ｃ……が登録してある。また、各遠隔監視装置１Ａ、１Ｂ、１Ｃ……には監視端末器２の端末ＩＤが記憶された監視側のＩＤ記憶装置５が設けてある。
【００１３】
管理装置３には上記複数の端末側のＩＤ記憶装置４と監視側のＩＤ記憶装置５に接続順序が登録されたテーブルがあり、このテーブルには監視端末器２ａ、２ｂ、２ｃ……を識別する端末ＩＤと回線接続の優先順に１Ａ、１Ｂ、１Ｃ……が登録してある。また、管理装置３には各遠隔監視装置１の状態を監視するための動作テーブルよりなる状態監視装置３ａが設けてあり、各遠隔監視装置遠隔監視装置１Ａ、１Ｂ、１Ｃ……は常に状態監視装置３ａの動作確認用ビットに”１”を書き込むことにより、各遠隔監視装置遠隔監視装置１Ａ、１Ｂ、１Ｃ……の動作が把握できるようになっており、ある遠隔監視装置１が動作確認用ビットに”１”と書き込まれず”０”のままの場合には管理装置３は該当する遠隔監視装置１が故障であると判断するようになっている。そして、複数の遠隔監視装置１Ａ、１Ｂ、１Ｃ……のうちある遠隔監視装置１が動作確認用ビット３０に”１”と書き込まず、故障であると判定された際は、管理装置３が該故障した遠隔監視装置１でない別な遠隔監視装置１の接続ＩＤが優先するように監視端末器２に指示するとともに、遠隔監視装置１の監視側のＩＤ記憶装置４に担当する監視端末器２の端末ＩＤを指示するようになっている。
【００１４】
しかして、複数の遠隔監視装置１Ａ、１Ｂ、１Ｃ……が故障でないとき（つまり管理装置３に設けた状態動作監視装置３ａにより遠隔監視装置１の故障を検知していないとき）は管理装置３の状態監視装置３ａの動作テーブルの動作確認用ビット３０には図２（ａ）のように１Ａ、１Ｂ、１Ｃ……ともそれぞれ”１”と書き込まれる。そして、監視端末器２（例えば監視端末器２ａ）から当該監視端末器２に設けた端末側のＩＤ記憶装置４に登録された回線接続の優先順位（例えば図３のように複数台の遠隔監視装置１Ａ、１Ｂ、１Ｃという接続順序で登録してある）により、優先の遠隔監視装置１Ａに公衆回線により接続し、当該監視端末器２で記録するエレベータの動作情報を優先の遠隔監視装置１Ａへ伝達してエレベータの監視をするようになっている。
【００１５】
一方、遠隔監視装置１Ａがシステムダウン等により故障した場合は、状態監視装置３ａは遠隔監視装置１Ａが書き入れる動作テーブルの動作確認用ビット３０が図２（ｂ）のように”０”となっていることで遠隔監視装置１Ａの異常を検出し、図３に示すように、管理装置３は遠隔監視装置１Ａが担当（分担）する監視端末器２を監視装置データベースから引き出すと共に管理装置３に設けられた故障データ記憶領域３１に遠隔監視装置１Ａの異常を記憶させ、該当する監視端末器２に故障を検出した上記遠隔監視装置１Ａ以外の別の遠隔監視装置１に切り換えるように指示し、監視端末器２はこの指示により端末側のＩＤ記憶装置４に登録された優先順に基づいて優先順位が次位である遠隔監視装置１Ｂに接続を切り換えるように指示を行う。また、管理装置３は監視装置１Ｂに対し、遠隔監視装置１Ａが担当する監視端末器２の端末ＩＤを指示し、これにより遠隔監視装置１Ｂが急遽遠隔監視装置１Ａの負担分を負担することとなっても確実に対応できるようにしている。
【００１６】
次に、復旧については、状態監視装置３ａが常時監視している遠隔監視装置１Ａが書き入れる動作テーブルの動作確認用ビット３０が”０”から”１”になっている場合には管理装置３により遠隔監視装置１Ａで本来監視すべき監視端末器２に対して元の遠隔監視装置１Ａが優先に戻すように指示を行い、更に、遠隔監視装置１Ｂに対しても遠隔監視装置１Ａが復旧したことを告げて臨時の担当を解除するように指示することで終了とする。これにより遠隔管理システムが元の状態に復旧するものである。
【００１７】
また、任意の遠隔監視端末器２から端末側ＩＤ記憶装置４に登録された接続ＩＤの接続順序に基づいて最優先の接続ＩＤに対応する遠隔監視装置１に接続しようとして回線が塞がっていたりして接続出来なかった場合には、該当する監視端末器２の端末側ＩＤ記憶装置４に登録された次位の接続順序の接続ＩＤをもつ遠隔監視装置２に接続する手段が監視端末器２に備えてある。これにより、ある遠隔監視端末器２から最優先の接続ＩＤに対応する遠隔監視装置１に接続しようとした際に、該当する遠隔監視装置１が正常に動作していても回線が塞がっている等の理由により接続出来ない場合には、監視端末器２側において自動的に端末側ＩＤ記憶装置４に登録された次位の接続ＩＤを持つ別の遠隔監視装置１に接続することで、監視端末器２から遠隔監視装置１に異常発報等を確実に伝達することができるものである。
【００１８】
【発明の効果】
上記のように本発明の請求項１記載の発明にあっては、複数台の遠隔監視装置の動作状態を監視し動作状態に応じて監視端末器や遠隔監視装置に指示を出すための管理装置を備え、各監視端末器にはそれぞれ端末ＩＤが付与されるとともに各遠隔監視装置にはそれぞれ接続ＩＤが付与され、各監視端末器には各遠隔監視装置の接続ＩＤとその接続順序が記憶された端末側のＩＤ記憶装置を備え、各遠隔監視装置には監視端末器の端末ＩＤが記憶された監視側のＩＤ記憶装置を備え、管理装置は、各遠隔監視装置の状態を監視するための状態監視装置を備えて該状態監視装置によりある遠隔監視装置が故障したことを検出すると、該当する遠隔監視装置が担当する監視端末器に故障を検出した遠隔監視装置でない別の遠隔監視装置の接続ＩＤが優先するように遠隔端末器に指示して該当する監視端末器はこの指示により端末側のＩＤ記憶装置に登録された優先順位に基づいて優先順位が次位である遠隔監視装置に切り換えるように指示し、更に管理装置は、新たに優先となった遠隔監視装置の監視側のＩＤ記憶装置に新たに担当する遠隔監視端末器の端末ＩＤを指示するように構成してあるので、監視端末器から遠隔監視装置へ動作情報等のエレベータ情報を伝達する際に、ある監視装置が動作不良に陥った場合にも直ちに他の正常に動作している遠隔監視装置へ優先接続することが可能となり、監視端末器の監視を確実に行うことができるものである。
【００１９】
また、請求項２記載の発明にあっては、上記請求項１記載の発明の効果に加えて、任意の遠隔監視端末器から端末側ＩＤ記憶装置に登録された接続ＩＤの接続順序に基づいて最優先の接続ＩＤに対応する遠隔監視装置に接続しようとして接続出来なかった際に、該当する監視端末器の端末側ＩＤ記憶装置に登録された次位の接続順序の接続ＩＤを持つ遠隔監視装置に接続する手段を監視端末器に備えてあるので、ある遠隔監視端末器から最優先の接続ＩＤに対応する遠隔監視装置に接続しようとした際に、該当する遠隔監視装置が正常に動作していても回線が塞がっている等の理由により接続出来ない場合には、監視端末器側において自動的に端末側ＩＤ記憶装置に登録された次位の接続ＩＤを持つ別の遠隔監視装置に接続して、監視端末器から遠隔監視装置にエレベータの動作情報等を確実に伝達することができるものである。
【００２０】
また、請求項３記載の発明にあっては、上記請求項１記載の発明の効果に加え得て、故障した遠隔監視装置が復旧したことが管理装置で確認された際に、管理装置が、故障が復旧した遠隔監視装置が本来監視すべき監視端末器に対して復旧した遠隔監視装置に接続の優先戻すように指示すると共に、故障した際に該監視端末器を臨時に担当することとなった別の遠隔監視装置に臨時の担当を解除するように指示するので、故障が復旧した場合に、スムーズに元の状態に戻すことができるものである。
【図面の簡単な説明】
【図１】本発明のブロック図である。
【図２】同上の複数の遠隔監視装置の動作状態を説明する説明図である。
【図３】同上の監視装置の一つが故障した際の接続順序を示す説明図である。
【符号の説明】
１  遠隔監視装置
２  監視端末器
３  管理装置
４  端末側のＩＤ記憶装置
５  監視側のＩＤ記憶装置
７  エレベータ設置場所
【図１】
0003733835.tif 000002
【図２】
0003733835.tif 000003
【図３】
0003733835.tif 000004